(57)【要約】【課題】本発明の課題は、内容物を取り出すときに不用意に内容物や収納物が飛散したりせず、使い勝手の良い粒状物収納容器を提供することである。【解決手段】粒状の内容物を収納する容器であって、容器本体と、容器本体を覆う蓋体と、蓋体の一部分を覆う覆い蓋とからなり、容器本体は、直方体状の収納部と、該収納部の長手方向の一端にヒンジで連結された開閉部を有し、該収納部は前記蓋体と嵌合して内容物を収納する内容物収納空間を形成し、蓋体と覆い蓋は嵌合して収納物収納空間を形成し、開閉部は収納部と蓋体と覆い蓋に嵌合する嵌合手段を有し、開閉部を開くことにより、内容物収納空間と収納物収納空間とが同時に開口することを特徴とする粒状物収納容器である。【選択図】図２
2010047263.tif 000002
【特許請求の範囲】
【請求項１】
粒状の内容物を収納する容器であって、容器本体と、容器本体を覆う蓋体と、蓋体の一部分を覆う覆い蓋とからなり、容器本体は、直方体状の収納部と、該収納部の長手方向の一端にヒンジで連結された開閉部を有し、該収納部は前記蓋体と嵌合して内容物を収納する内容物収納空間を形成し、蓋体と覆い蓋は嵌合して収納物収納空間を形成し、開閉部は収納部と蓋体と覆い蓋に嵌合する嵌合手段を有し、開閉部を開くことにより、内容物収納空間と収納物収納空間とが同時に開口することを特徴とする粒状物収納容器。
【請求項２】
前記収納部は、側壁に設けられ内側に凸状部を形成する垂直なリブによって複数の部分に区切られており、蓋体も区切られた収納部を覆うように複数に区切られていることを特徴とする請求項１に記載の粒状物収納容器。
【請求項３】
内容物が粒状ガムであり、前記収納物収納空間に紙が収納されていることを特徴とする請求項１または２に記載の粒状物収納容器。
【請求項４】
前記蓋体は、透明であり、覆い蓋に覆われていない部分から内容物を視認できることを特徴とする請求項１〜３のいずれか１項に記載の粒状物収納容器。
【請求項５】
前記覆い蓋は、透明であり、収納物収納空間に収納された収納物を視認できることを特徴とする請求項１〜４のいずれか１項に記載の粒状物収納容器。
【請求項６】
内容物収納空間の開口部と収納物収納空間の開口部を形成する蓋体の端部に切り込みを設けたことを特徴とする請求項１〜５のいずれか１項に記載の粒状物収納容器。
【請求項７】
前記切りこみは、開閉部が閉じている時に、内容物が内容物収納空間から収納物収納空間に移行しない大きさであることを特徴とする請求項６に記載の粒状物収納容器。
【請求項８】
収納物収納空間の開口部を形成する蓋体の端部に収納物の飛出しを防止するリブ状突起を設けたことを特徴とする請求項１〜７のいずれか１項に記載の粒状物収納容器。
【発明の詳細な説明】
【技術分野】
【０００１】
本発明は、粒状のガムや菓子、錠剤等、粒状の物品を収納する容器に関する。
【背景技術】
【０００２】
従来、粒状物を収納する容器として、さまざまな形態の容器が使用されているが、一般的には、身と蓋を有する容器のコーナー付近もしくは端部に設けられた開口部に嵌合蓋もしくはスライド蓋が設けられており、取出し時には開口部を開いて、振り出すようにして内容物を取り出す構造を持った容器が多く用いられている。これらの容器は、取り出すときに中身の粒が不用意に飛び出してしまったり、必要な粒数以上に粒が出てしまったりする点で使い勝手が悪かった。（特許文献１、２）
また例えば、内容物である粒状物が粒状のガムである場合、個別包装された板状のガムと異なり、噛んだ後のかすを包んで捨てるための捨て紙が別途必要であるが、従来の容器の場合、ガムと捨て紙が同じ空間に存在しているために、衛生上の問題もさることながら、ガムを振り出す時に捨て紙も飛び出してしまうことがあった。
【特許文献１】実開平4-112072号公報
【特許文献２】特開平9-77152号公報
【発明の開示】
【発明が解決しようとする課題】
【０００３】
本発明が解決しようとする課題は、上記のような従来の問題点を解決し、内容物を取り出すときに不用意に内容物や収納物が飛散したりせず、使い勝手の良い収納容器を提供することである。
【課題を解決するための手段】
【０００４】
上記の課題を解決するための手段として、請求項１に記載の発明は、粒状の内容物を収納する容器であって、容器本体と、容器本体を覆う蓋体と、蓋体の一部分を覆う覆い蓋とからなり、容器本体は、直方体状の収納部と、該収納部の長手方向の一端にヒンジで連結された開閉部を有し、該収納部は前記蓋体と嵌合して内容物を収納する内容物収納空間を形成し、蓋体と覆い蓋は嵌合して収納物収納空間を形成し、開閉部は収納部と蓋体と覆い蓋に嵌合する嵌合手段を有し、開閉部を開くことにより、内容物収納空間と収納物収納空間とが同時に開口することを特徴とする粒状物収納容器である。
【０００５】
また、請求項２に記載の発明は、前記収納部が、側壁に設けられ内側に凸状部を形成する垂直なリブによって複数の部分に区切られており、蓋体も区切られた収納部を覆うように複数に区切られていることを特徴とする請求項１に記載の粒状物収納容器である。
【０００６】
また、請求項３に記載の発明は、内容物が粒状ガムであり、前記収納物収納空間に紙が収納されていることを特徴とする請求項１または２に記載の粒状物収納容器である。
【０００７】
また、請求項４に記載の発明は、前記蓋体が、透明であり、覆い蓋に覆われていない部分から内容物を視認できることを特徴とする請求項１〜３のいずれか１項に記載の粒状物収納容器である。
【０００８】
また、請求項５に記載の発明は、前記覆い蓋が、透明であり、収納物収納空間に収納された収納物を視認できることを特徴とする請求項１〜４のいずれか１項に記載の粒状物収納容器である。
【０００９】
また、請求項６に記載の発明は、内容物収納空間の開口部と収納物収納空間の開口部を形成する蓋体の端部に切り込みを設けたことを特徴とする請求項１〜５のいずれか１項に記載の粒状物収納容器である。
【００１０】
また、請求項７に記載の発明は、前記切りこみが、開閉部が閉じている時に、内容物が内容物収納空間から収納物収納空間に移行しない大きさであることを特徴とする請求項６に記載の粒状物収納容器である。
【００１１】
また、請求項８に記載の発明は、収納物収納空間の開口部を形成する蓋体の端部に収納物の飛出しを防止するリブ状突起を設けたことを特徴とする請求項１〜７のいずれか１項に記載の粒状物収納容器である。
【発明の効果】
【００１２】
本発明に係る粒状物収納容器は、容器本体と、容器本体を覆う蓋体と、蓋体の一部分を覆う覆い蓋の３点の部品からなるので、構造が簡単であり、量産に適している。
また、容器本体は、収納部と、開閉部を有し、収納部と開閉部はヒンジで連結されているため、部品としては1つであり、部品点数を少なくする効果を有すると共に、開閉部を開いて内容物を取り出す際に、開閉部を紛失することがない。
【００１３】
収納部は蓋体と嵌合して内容物を収納する内容物収納空間を形成し、蓋体と覆い蓋は嵌合して収納物収納空間を形成し、開閉部は収納部と蓋体と覆い蓋に嵌合する嵌合機構を有し、開閉部を開くことにより、内容物収納空間と収納物収納空間とが同時に開口する構造であるから、内容物を取り出す時に、同時に収納物収納空間に収納されている収納物の存在を確認することができる。また、内容物と同時に収納物を取り出すことももちろんできる。
【００１４】
前記収納部が、側壁に設けられ内側に凸状部を形成する垂直なリブによって複数の部分に区切られており、蓋体も区切られた収納部を覆うように複数に区切られている場合には、内容物を収納する内容物収納空間が直筒状とならないため、容器を傾けた際に、内容物が滑って一気に排出されることがない。また、区切られた蓋体の１つの部分に覆い蓋が嵌合するようにすることにより、覆い蓋の存在しない部分を作ることができる。
【００１５】
また、内容物が粒状ガムであり、収納物収納空間に紙を収納した場合には、ガムを取り出す時に、同時に紙の存在を確認することが出来るので、食べてしまった後で、捨て紙が無いことに気付いて困惑することもない。またガムと捨て紙が別々の空間に収納されているので、衛生的であり、またガムだけあるいは捨て紙だけを取り出すこともできる。
【００１６】
また、蓋体が透明であり、覆い蓋に覆われていない部分から内容物を視認できるようにした場合には、内容物の残量を目視で確認することができる。また、内容物の外観に特徴があるような場合には、外部から目視できることが重要な機能となる。
【００１７】
また、前記覆い蓋が透明であり、収納物収納空間に収納された収納物を視認できる場合には、開閉部を開くことなく、収納物の有無を確認することができる。
【００１８】
また、内容物収納空間の開口部と収納物収納空間の開口部を形成する蓋体の端部に切り込みを設けた場合には、この切り込みに指を入れて収納物収納空間に収納されている収納物を取出すことができるので、取出し操作が容易に行えるようになる。
【００１９】
また、前記切りこみが、開閉部が閉じている時に、内容物が内容物収納空間から収納物収納空間に移行しない大きさとすることにより、容器を携行中に収納物収納空間に内容物
が移行することもなく、常に衛生的に使用することが可能である。
【００２０】
また、収納物収納空間の開口部を形成する蓋体の端部に収納物の飛出しを防止するリブ状突起を設けた場合には、内容物を振出す際、収納物が一緒に飛出すことを防ぐ効果を有する。
【発明を実施するための最良の形態】
【００２１】
本発明に係る粒状物収納容器を実施するための最良に形態について、図面に従って詳細に説明する。
図１は、本発明に係る粒状物収納容器の一実施形態を示す斜視図である。図２は、図１に示した粒状物収納容器の開閉部を開いた状態を示す斜視図である。また図３は、図１に示した粒状物収納容器の分解斜視図である。また、図４は、図１に示した粒状物収納容器の断面模式図である。
本発明に係る粒状物収納容器は、容器本体１と、容器本体１を覆う蓋体２と、蓋体２の一部分を覆う覆い蓋３とからなり、容器本体１は、直方体状の収納部４と、収納部４の長手方向の一端にヒンジ６で連結された開閉部５を有し、収納部４は蓋体２と嵌合して内容物を収納する内容物収納空間１３を形成し、蓋体２と覆い蓋３は嵌合して収納物収納空間９を形成し、開閉部５は収納部４と蓋体２と覆い蓋３に嵌合する嵌合手段８を有し、開閉部５を開くことにより、内容物収納空間１３と収納物収納空間９とを同時に開口することができる。
【００２２】
図１に示された実施形態では、収納部４は、側壁に設けた垂直なリブ１４によって、２つの部分に区切られており、蓋体２もこのそれぞれの部分に嵌合するように２つの部分に区切られている。蓋体２の開口部に近い部分には、覆い蓋３が嵌合して収納物収納空間９を形成している。このように収納部４が２つの部分に区切られているため、内容物収納空間１３は、直筒状とならず、内部中央部にたて筋状の突起を有する形状となっている。このことは、容器を傾けて内容物を取り出す際に、内容物がこのリブ１４に引っ掛かるため、内容物が一気に開口部に集中することを避ける効果がある。
【００２３】
開閉部５は、容器本体１と蓋体２と覆い蓋３の３つの部材によって形成される２つの空間である内容物収納空間１３と収納物収納空間９の開口部７を同時に開閉する機能を持っている。開閉部５には、この３つの部材に嵌合する嵌合手段８が設けられているので、開閉部５を閉じた状態のまま保持することができる。嵌合手段８は、本実施形態のように単に一方を凸状にして他方に嵌合するようにしても良いし、互いに厚さの半分ずつを出し合って嵌合してもよい。また一方に溝を、他方に突起を設けて嵌合するようにしても良い。また開閉部の一部分にフックを設けて、閉じた状態でロックされるようにしても良い。
【００２４】
本実施形態では、蓋体２を着色透明な材質としたので、覆い蓋３に覆われていない部分から内容物１０を視認することができる。蓋体２の透明性の度合いや色調については、任意に設定される。例えば内容物がさまざまな色に着色された粒菓子であれば、完全に透明である方が良い場合もあるし、内容物が１種類の色調のものであれば、完全に透明であるよりも、着色透明とした方が、意匠的に優れている場合もある。
【００２５】
蓋体２と覆い蓋３とが嵌合して形成する収納物収納空間９には、内容物１０に関連した物品を収納することが出来る。例えば、内容物１０が粒状のガムの場合であれば、捨て紙用の紙１１を好適に収納することができる。この他、製品のしおりや使用説明書、懸賞の応募用紙、おまけ等任意の物品を収納することができる。
【００２６】
覆い蓋３を透明な材質とした場合には、その都度開閉部５を開くことなく、収納物収納空間９に収納された収納物を外部から目視によって視認することができる。
【００２７】
図３に示されたように、内容物収納空間１３の開口部７と収納物収納空間９の開口部７を形成する蓋体２の端部に切り込み１２を設けた場合、収納物収納空間９に収納された物品を取り出す際に、物品に指がかかるので、取り出しやすくなる。
切り込みの形状については、本実施形態のようにＵ字型でもよいし、四角形でもよいが、指先の形状により良く一致するのはＵ字型である。
【００２８】
切り込み１２の大きさについては、開閉部５を閉じた状態で、内容物である粒状物が通過しない大きさとすることが望ましい。そうすることにより、容器を携帯中に、内容物である粒状物が収納物収納空間９に移動してしまうことがなく、常に衛生的に使用することができる。
【００２９】
図５は、蓋体の部分拡大斜視図である。蓋体２の、収納物収納空間９と内容物収納空間１３を仕切る壁は、収納物のせ台１６を形成している。蓋体２の端部には、本実施形態においては、切り込み１２が設けられており、切り込み１２の両側の端部にはリブ状突起１５が設けられている。このようにリブ状突起１５が設けられていることにより、収納物収納空間の収納物のせ台１６上に収納された収納物が、不用意に飛出してくることが防止できるため、容器の使い勝手が向上する。
【００３０】
リブ状突起１５は、切り込み１２が存在しない場合には、蓋体２の端部全長にわたって設けられても良いし、図５に示されたように、切り込み１２が存在する場合には、切り込み１２の両側に設けても良いし、片側のみに設けても良い。
【００３１】
容器本体１、蓋体２、覆い蓋３の材質については、特に限定されるものではないが、生産のしやすさ、コスト、使い勝手などを考慮すると、各種熱可塑性プラスチックが好ましく使用できる。各部材の色調や透明性、表面の凹凸性状、表面の加飾、文字やロゴ表示等は、内容物や使用目的に応じて任意に設定される。
【図面の簡単な説明】
【００３２】
【図１】本発明に係る粒状物収納容器の一実施形態を示す斜視図。
【図２】図１に示した粒状物収納容器の開閉部を開いた状態を示す斜視図。
【図３】図１に示した粒状物収納容器の分解斜視図。
【図４】図１に示した粒状物収納容器の断面模式図。
【図５】蓋体の部分拡大斜視図
【符号の説明】
【００３３】
１・・・容器本体
２・・・蓋体
３・・・覆い蓋
４・・・収納部
５・・・開閉部
６・・・ヒンジ
７・・・開口部
８・・・嵌合手段
９・・・収納物収納空間
１０・・・内容物
１１・・・紙
１２・・・切り込み
１３・・・内容物収納空間
１４・・・リブ
１５・・・リブ状突起
１６・・・収納物のせ台
【図１】
2010047263.tif 000003
【図２】
2010047263.tif 000004
【図３】
2010047263.tif 000005
【図４】
2010047263.tif 000006
【図５】
2010047263.tif 000007